(57)【要約】【課題】アクセルペダルの押圧操作に応じて変化する車両認識音を発生する機能をユニット化して自動車本体に影響を与えないようにすることを目的とする。【解決手段】低速時に走行音が静かな車両において、アクセルペダルに圧力センサーを組み込み、アクセルペダルの押圧操作に応じて変化する車両認識音を発生する機能をユニット化して車両本体に取り付け可能としたことを特徴とする。【選択図】図１
2011240794.tif 000002
【特許請求の範囲】
【請求項１】
低速時に走行音が静かな車両において、アクセルペダルに圧力センサーを組み込み、アクセルペダルの押圧操作に応じて変化する車両認識音を発生する機能をユニット化して車両本体に取り付け可能としたことを特徴とする車両認識音発生装置。
【請求項２】
前記圧力センサーは、前記アクセルペダルの押圧面、裏側、アクセルペダルアームの何れかに取付けられることを特徴とする請求項１記載の車両認識音発生装置。
【請求項３】
前記圧力センサーは、抵抗値の変化で信号を発生させるひずみゲージを用いたことを特徴とする請求項１又は請求項２記載の車両認識音発生装置。
【請求項４】
前記低速時を越える連続走行時には、前記アクセルペダルを操作しても、車両認識音が発生しないように、風圧スイッチを設けたことを特徴とする請求項１記載の車両認識音発生装置。
【発明の詳細な説明】
【技術分野】
【０００１】
本発明は、走行音が静かな車両、例えば、エンジン音の静かな自動車、ハイブリット車、電気自動車等の車両において、歩行者に車の接近を認識させる車両認識音発生装置に関し、特に、認識音発生機能をユニット化することにより、車両本体に影響を与えないように取り付けることが出来る車両認識音発生装置に関する。
【背景技術】
【０００２】
従来、エンジン音の静かな自動車、ハイブリット車、電気自動車等のような走行音が静かな車両は、歩行者に気づかれないことが多いので、歩行者などに注意を促すために車の接近を認識させる疑似音を報知することが行なわれている。例えば、走行状態に応じて警報音を発生させたり（特許文献１）、自動車の走行音に似た疑似走行音を作り出したり（特許文献２）、疑似エンジン音を発生させたり（特許文献３）、報知器として車外報知器と車内報知器とを設けたり（特許文献４）して、歩行者などに注意を促していた。
【先行技術文献】
【特許文献】
【０００３】
【特許文献１】特開平１０−２０１００１号公報
【特許文献２】特開２０００−３１６２０１号公報
【特許文献３】特開２００３−２７６５０４号公報
【特許文献４】特開平０７−２０９４２４号公報
【発明の概要】
【発明が解決しようとする課題】
【０００４】
しかしながら、上記の特許文献１に開示された技術は、モータ駆動制御装置より走行状態に関する信号を受け取り、走行状態に応じた音の電気信号を作り出すため自動車の走行装置等に改造を加える必要があり自動車本体にトラブルを誘発する虞れがある。また、特許文献２に開示された技術は、アクセルの動きに応じて変化する電流検出器、可動量検出器、又は、回転数検出器の検出信号により疑似エンジン音を生成するため音声発生装置に不具合が発生した場合に、自動車本体を故障させる虞れがある。また、特許文献３に開示された技術は、危険が予想される都度、スイッチをオン、オフして切り替える必要がある。また、特許文献４に開示された技術は、車外報知器を停止させるには運転者自身が報知停止スイッチを操作する必要がある。本発明はこのような問題点を解決するため、アクセルペダルの押圧操作に応じて変化する車両認識音を発生する機能をユニット化して自動車本体に影響を与えないようにすることを目的とする。
【課題を解決するための手段】
【０００５】
上記目的を達成するため、請求項１記載の発明は、低速時に走行音が静かな車両において、アクセルペダルに圧力センサーを組み込み、アクセルペダルの押圧操作に応じて変化する車両認識音を発生する機能をユニット化して車両本体に取り付け可能としたことを特徴とするものである。
【０００６】
また、請求項２記載の発明は、請求項１記載の車両認識音発生装置であって、圧力センサーは、アクセルペダルの押圧面、裏側、アクセルペダルアームの何れかに取付けられることを特徴とするものである。
【０００７】
また、請求項３記載の発明は、請求項１又は請求項２記載の車両認識音発生装置であって、圧力センサーは、抵抗値の変化で信号を発生させるひずみゲージを用いたことを特徴とするものである。
【０００８】
また、請求項４記載の発明は、請求項１記載の車両認識音発生装置であって、低速時を越える連続走行時には、アクセルペダルを操作しても、車両認識音が発生しないように、風圧スイッチを設けたことを特徴とするものである。
【発明の効果】
【０００９】
本発明の車両認識音発生装置によれば、アクセルペダルに圧力センサーを組み込み、アクセルペダルの押圧操作に応じて変化する車両認識音を発生する機能をユニット化して車両本体に取り付け可能としたので、車両本体の機能に影響を与えないように取り付けることができ、故障等によるリスクを回避することができる。
【００１０】
また、圧力センサーは、アクセルペダルの押圧面、裏側、アクセルペダルアームの何れかに取付けられるので、容易に取り付けることができ、取り付け費用及び時間を軽減することができる。
【００１１】
また、圧力センサーは、抵抗値の変化で信号を発生させるひずみゲージを用いたので、アクセルペダルの押圧力に応じた車両認識音を発生することができ、通常の運転感覚でスピード感を感じることが出来る。
【００１２】
また、低速時を越える連続走行時には、アクセルペダルを操作しても、車両認識音を発生しないように、風圧スイッチを設けたので、車両認識音の報知を停止するための特別のスイッチを設ける必要はない。
【図面の簡単な説明】
【００１３】
【図１】本発明による車両認識音発生ユニットを付加した自動車の内部概略図である。
【図２】車両認識音発生ユニットのブロック図である。
【図３】アクセルペダルの部分拡大図を示し、（ａ）は正面図、（ｂ）は側面図である。
【図４】風圧スイッチの概略図を示し、（ａ）は正面図、（ｂ）は側面図である。
【発明を実施するための形態】
【実施例】
【００１４】
以下、本発明の実施形態について図面を参照して説明する。図１において、１は低速時に走行音が静かな車両、例えば、エンジン音の静かな自動車、ハイブリット車、電気自動車等の低速車両で、運転者２により運転される。３は運転者２により操作されるアクセルペダルであり、アクセルペダル３には圧力センサー４が組み込まれ、アクセルペダルカバー５により保護される。６は低速時にアクセルペダル３の操作に応じて変化する車両認識音を車内に発生させる車両認識音発生ユニット、７は同上の車両認識音を車外に対して発生する車外拡声器８と低速時を越える走行時には車両認識音を発生しないようにした風圧スイッチ９とを同一ケース内に納めたスピーカボックスで、車両１の前面に取り付けられる。
【００１５】
車両認識音発生ユニット６は、図２に示すように、アクセルペダル３の圧力センサー４の変化を検知するゲージ増幅器６１、ゲージ信号を増幅する信号増幅器６２、車両認識音を発生する認識音発生部６３が順次接続され、認識音発生部６３の出力側は２つに分岐され、ひとつはパワー増幅器６４、車外拡声器８への音量を選択できる車外音量選択器６５を介してスピーカボックス７内の車外拡声器８へ接続される。他のひとつは周囲の状況に応じて音量を選択できる車内音量選択器６６を介して車内拡声器６７に接続される。
【００１６】
スピーカボックス７内の風圧スイッチ９は通常オフ状態であり、車両１が一定速度を超えるとオン状態になり、認識音発生部６３の出力側の電位はアースに落ちて、車両認識音は車内拡声器６７及び車外拡声器８から発生しない。なお、認識音発生部６３にタイマーを内蔵し、車両１が一定速度を超えるとタイマーが作動し車両認識音を発生しないようにしても良い。また車両認識音発生ユニット６の電源は車両１のバッテリー１１、ヒューズ１２を介して供給され、電源スイッチ６８によって入切される。
【００１７】
アクセルペダル３は、図３（ａ）に示すように、アクセルペダル３の押圧面の全面にわたり圧力センサー４が組み込まれ、その上からアクセルペダルカバー５で保護されている。アクセルペダルカバー５は、図３（ｂ）に示すように、裏側から固定金具５ｋでアクセルペダルアーム５ｍに固定されている。なお、圧力センサー４は抵抗値の変化で信号を発生させるひずみゲージを用いると好適である。
【００１８】
風圧スイッチ９は、図４（ｂ）に示すように、マイクロスイッチ９ａで構成され、図４（ａ）に示すように、スピーカボックス７に蝶番９ｂで留められた風圧板９ｃがマイクロスイッチ１０ａを風圧によりオン、オフ操作する構造である。
【００１９】
次に、このように構成された車両認識音発生装置の作用を説明する。低速時に走行音が静かな車両、例えば、エンジン音の静かな自動車、ハイブリット車、電気自動車等の低速車両１に乗った運転者２が歩行者の近くを徐行しようとしてアクセルペダル３を軽く踏むと、アクセルペダル３に組み込まれた圧力センサー４が踏み込み圧を感じて、ひずみゲージの抵抗値を変化させ、この変化した信号をゲージ増幅器６１で検知して信号増幅器６２で増幅して認識音発生部６３で車両認識音を生成する。
【００２０】
認識音発生部６３で生成された車両認識音は車外音量選択器６５を介して車外拡声器８から報音されるので、近くの歩行者に車両の存在を認識させることが出来る。また、運転者２は同様の車両認識音を車内拡声器６７でも聞くことができ、アクセルペダル３の押圧力に応じたスピード感を感じることが出来る。車内拡声器６７を介して報音される車両認識音は車内音量選択器６６により周囲の状況に応じて音量を選択することが出来る。即ち、深夜の住宅地を走行する場合は音量を小さく、多くの人で混雑する繁華街を走行する場合は音量を大きくする。
【００２１】
また、運転者２が車内拡声器６７を介して、車内への車両認識音の必要がないか、もしくは、車両認識音が大きすぎると思われた場合は、車両認識音を０から適切な大きさまでの音量を車内音量選択器６６により選ぶことが出来る。更にまた、時速２０キロメートル以上の連続走行時に静かな室内を楽しむ為に、アクセルペダル２を踏んでも車両認識音が発生しないように、車両の前面に風圧スイッチ９を取付けても良い。
【００２２】
風圧スイッチ９はマイクロスイッチ９ａと蝶番９ｂで留められた風圧板９ｃとからなり、車外拡声器８と同一のスピーカボックス７に納められる。風圧板９ｃは車速が時速２０キロメートル以上になると風圧により風圧板９ｃがマイクロスイッチ９ａを押圧操作して車両認識音が発生しないようにする。なお、風圧スイッチ９の換わりに認識音発生部６３にタイマーを内蔵し、車両１が一定速度を超えるとタイマーが作動し車両認識音を発生しないようにすることも出来る。
【００２３】
なお、圧力センサーは、アクセルペダルの押圧面だけでなく、アクセルペダルの裏側、或いは、アクセルペダルアームに取り付けても同様の効果を得ることができる。また、圧力センサーは、一例としてひずみゲージを用いて説明したが、その代わりに他の圧力素子、薄型の金属板スイッチ、樹脂等に金属メッキを施したスイッチを用いても同様の効果を得ることができる。また、アクセルペダルカバーの材質は、ブレーキペダルに使われている材質と同じ材質のゴムの他に、金属、或いは樹脂の材質であっても同様の効果を得ることができる。更にまた、風圧板は、金属、或いは樹脂等のように板状に延設できるものであれば、どのような材質でも可能であり、マイクロスイッチは近接スイッチのように風圧板の接近が認識できれば、その代わりとすることができる。
【００２４】
以上、説明したように、本発明の車両認識音発生装置によれば、運転者がアクセルペダルを踏むたびに、あらかじめ選択しておいた適切な音量で必要な時に車両認識音を発生するので、歩行者、または、軽車両等に気づいてもらい、尚かつ、周りに不愉快な思いをさせずに、運転に集中する事が出来、安全に走行が出来る様になる。
【００２５】
又、取付け時のユーザーへの負担（取付け費及び時間）が少なくて済み、取付けた事による自動車本体への故障のリスクも殆どなくなり、安心して購入する事が出来る。さらに、本発明品が、万が一故障した際は、電源スイッチを切るだけで、認識音の発生はしなくなり、車両を取付け前の状態に戻す事が出来る。
【符号の説明】
【００２６】
１  低速車両
２  運転者
３  アクセルペダル
４  圧力センサー
５  アクセルペダルカバー
５ｋ  固定金具
５ｍ  アクセルペダルアーム
６  車両認識音発生ユニット
６１  ゲージ増幅器
６２  信号増幅器
６３  認識音発生部
６４  パワー増幅器
６５  車外音量選択器
６６  車内音量選択器
６７  車内拡声器
７  スピーカボックス
８  車外拡声器
９  風圧スイッチ
９ａ  マイクロスイッチ
９ｂ  蝶番
９ｃ  風圧板
【図１】
2011240794.tif 000003
【図２】
2011240794.tif 000004
【図３】
2011240794.tif 000005
【図４】
2011240794.tif 000006